Podtech/llm-jp-corpus-v4-ja_patent huggingface dataset:
(57)【要約】      （修正有）【課題】ボルト頭部の高さが小さい場合でも、頭部なめが発生し難いボルト及びボルトの締結方法を提供する。【解決手段】トルク伝達部である六角柱部１１（外周トルク伝達部）及び六角穴１１１（内周トルク伝達部）を備えた頭部１と、ねじ形状を備えた軸部２により構成される。ボルトを締付ける際は、外周トルク伝達部と内周トルク伝達部を備えたボルト及び、前記外周トルク伝達部と前記内周トルク伝達部にそれぞれ同時に係合する専用の締結工具を用いる。【選択図】図１
2018128131.tif 000002
【特許請求の範囲】
【請求項１】
外周トルク伝達部と内周トルク伝達部を備えたボルト及び、前記外周トルク伝達部と前記内周トルク伝達部にそれぞれ同時に係合する専用の締結工具を用いることを特徴とするボルトの締結方法。
【請求項２】
前記外周トルク伝達部と前記内周トルク伝達部の軸直角方向断面は、該ボルトの軸心を対称の中心とした点対称形状であり、前記内周トルク伝達部の軸方向深さは、前記外周トルク伝達部の軸方向高さに対し８０〜１００％の範囲であり、前記内周トルク伝達部における前記点対称形状の外接円の径は、前記外周トルク伝達部における前記点対称形状の外接円の径に対し５０〜７０％の範囲であることを特徴とする、請求項１に記載の締結方法に用いるボルト。
【請求項３】
前記内周トルク伝達部に係合する凸部、前記外周トルク伝達部に係合する凹部、前記凸部の付勢手段である弾性体を備えたことを特徴とする、請求項１に記載の締結方法に用いる締結工具。
【発明の詳細な説明】
【技術分野】
【０００１】  本発明は、締結に用いるボルト及びボルトの締結方法に関するものである。
【背景技術】
【０００２】  自動車などにおいて、重量は駆動効率に直結することから、構成部品の軽量化が常に要求される。ボルトにおける軽量化の方策としては、材質変更や、ボルト軸の中空化などが想起されるが、これらの方策は、コスト面や強度面など、市場のニーズに応えられない場合も少なくない。コスト・強度の制約を踏まえ、次に想起される方策として、ボルト頭部の高さを小さくすることが挙げられる。この方策によれば、材質を変更する必要がないため、コストアップの抑制が可能となる。また、ボルト頭部の高さの変更による、ボルトの引張強度への影響が少ないことも利点となる。
【発明の概要】
【発明が解決しようとする課題】
【０００３】  しかしながら、ボルト頭部の高さを小さくすると、締結工具のかかり代が不十分となり、締結時にボルト頭部のトルク伝達部が塑性変形する現象（以下、頭部なめと称する）が発生するおそれがあった。【０００４】  本発明は上述のような課題を解決するためになされたもので、ボルト頭部の高さが小さい場合でも、頭部なめが発生し難いボルト及びボルトの締結方法を提供するものである。
【課題を解決するための手段】
【０００５】  本発明に係る締結方法においては、外周トルク伝達部と内周トルク伝達部を備えたボルト及び、前記外周トルク伝達部と前記内周トルク伝達部にそれぞれ同時に係合する専用の締結工具を用いるものである。
【発明の効果】
【０００６】  本発明によれば、ボルト頭部の内側と外側の両方で負荷を受けることで負荷を分散し、頭部なめの発生を抑制することが可能となる。
【図面の簡単な説明】
【０００７】
【図１】本実施例におけるボルトの概観図である。
【図２】図１におけるＡ部の部分断面図である。
【図３】本実施例のボルト専用の締結工具（主要部）を示した図である。
【図４】本実施例のボルトに対し、専用の締結工具を差し込んだ状態を示した図である。
【図５】図４の状態から、更に深く工具を差し込んだ状態を示した図である。
【図６】（ａ）：図５の状態における、ボルト頭部の軸直角断面図である。（ｂ）：図６（ａ）の状態から、締付け方向に工具を回転させた状態を示した図である。
【図７】本発明の異なる実施例におけるボルトの概観図である。
【図８】図７に示すボルトにおける頭部付近の部分断面図である。
【発明を実施するための形態】
【０００８】  以下に本発明の実施例を示す。図１及び図２に示す通り、本実施例のボルトは、トルク伝達部である六角柱部１１（外周トルク伝達部）及び六角穴１１１（内周トルク伝達部）を備えた頭部１と、ねじ形状を備えた軸部２により構成される。六角穴１１１の軸方向深さｈ１は、六角柱部１１の軸方向高さｈ２に対し８０〜１００％の範囲とすることが望ましい。六角穴１１１における正六角形の外接円の径は、六角柱部１１における正六角形の外接円の径に対し５０〜７０％の範囲とすることが望ましい。
【０００９】  本実施例のボルトを締付ける際、図３に示す専用の締結工具３を使用する。締結工具３は、主に六角凸部３１と六角凹部３２、六角凸部３１の付勢手段である弾性体３３によって構成される。
【００１０】  締結工具３を頭部１に差し込む際、まず六角凸部３１が六角穴１１１に係合し、更に押し込むことで六角凹部３２が六角柱部１１と係合する（図４、図５）。この状態から締付け方向に締結工具３を回転させると、図６（ａ）の状態から図６（ｂ）の状態となり、締付けが進行する。一般的なボルトと異なり、トルク伝達部がボルト頭部の外周と内周の両方に存在することで締付け時の負荷を分担し、トルク伝達部に生じる応力を小さくすることが可能となる。その結果、ボルト頭部の高さをより小さくしても頭部なめが発生せず、軽量化を促進することが可能となる。
【００１１】  本実施例はあくまで一例であり、本発明の利用形態は本実施例の形態に限定されるものではない。本実施例ではフランジ付きのボルトを例に挙げたが、フランジの無い六角ボルトであっても構わない。また、本発明におけるトルク伝達部の要点は、外周トルク伝達部と内周トルク伝達部の軸直角方向断面形状が、ボルト軸心を対称の中心とした点対称形状であるということであり、本実施例に示したものの他にも、例えば図７及び図８に示すような、２つの正六角形の位相を９０°ずらして重ねた形状であっても良い。なお、外周トルク伝達部と内周トルク伝達部の軸直角方向断面形状は、相似な形状でなくても良い。
【符号の説明】
【００１２】  １      ボルト頭部
１１    ボルト頭部の六角柱部
１１１  ボルト頭部の六角穴部
１２    ボルト頭部のフランジ部
２      ボルト軸部
３      締結工具
３１    締結工具の六角凸部
３２    締結工具の六角凹部
３３    弾性体
【図１】
2018128131.tif 000003
【図２】
2018128131.tif 000004
【図３】
2018128131.tif 000005
【図４】
2018128131.tif 000006
【図５】
2018128131.tif 000007
【図６】
2018128131.tif 000008
【図７】
2018128131.tif 000009
【図８】
2018128131.tif 000010
(57)【要約】【課題】  壁を貫通したシャフトが直線運動あるいは回転運動を行うシャフトと壁との接触部において、壁の両側で差圧を生じさせると接触部においてリークが発生する。壁を貫通したシャフトが直線運動あるいは回転運動を行うためには、シャフトと壁との接触部である摺動部にすき間が必要であり、壁の両側で差圧を生じさせるとシャフトと壁の接触部のすき間でリークが発生する。【解決手段】  直線運動を行うシャフトにおいては、シャフト上にフランジを設けて、フランジと壁面でシール材を挟むことによりシャフトと壁の接触部を密閉してリークを防止する。回転運動を行うシャフトにおいては、シャフト上にフランジを設けて、フランジとでシール材を挟むと同時に壁面とでシール材を挟むカバーを設けることによりシャフトと壁の接触部を密閉してリークを防止する。【選択図】図１
2018128138.tif 000002
【特許請求の範囲】
【請求項１】
壁を貫通したシャフトの、シャフトと壁の接触部において、壁の両側で差圧を生じさせる際にはシール材を用いて接触部を密閉してリークを防止するリーク防止機構。
【請求項２】
壁を貫通したシャフトが直線運動を行う場合には、シャフトにフランジを設けてフランジと壁面とでシール材を挟む事によりリークを防止する請求項１記載のリーク防止機構。
【請求項３】
壁を貫通したシャフトが回転運動を行う場合には、シャフトにフランジを設けてフランジとでシール材を挟むと同時に壁面とでシール材を挟むカバーによりリークを防止する請求項１記載のリーク防止機構。
【発明の詳細な説明】
【技術分野】
【０００１】
本発明は、壁を貫通して直線運動あるいは回転運動を行うシャフトと壁との接触部において、シャフトを運動させないときに壁の両側で差圧を生じさせる際のリークを防止するリーク防止機構に関する。
【背景技術】
【０００２】
壁の一方からもう一方に直線運動あるいは回転運動を伝達させる場合、壁にシャフトを貫通させ、シャフトと壁の接触部である摺動部に軸受を設けて運動効率を向上させる。壁を貫通したシャフトが直線運動あるいは回転運動を行うためには摺動部にすき間が必要であり、壁の一方ともう一方で差圧を生じさせる必要がある場合には摺動部のすき間でリークが発生する。
【０００３】
真空容器においては、直線運動の場合は摺動部にベローズを設けて容器の内部と外部を遮断してリークを防止する場合がある。また、真空容器において回転運動の場合は、摺動部に電磁流体シールやメカニカルシールなどを設けて容器の内部と外部を遮断してリークを防止する場合がある。
【０００４】
しかし、ベローズは直線運動のストロークが大きく取れず、また、ベローズも電磁流体シールも一般に高価である。メカニカルシールは電磁流体シールよりは安価といえる。
【０００５】
グローブボックスにおける窒素置換など、装置内部を不活性ガスで置換する場合に、一旦装置内部を真空に引いてから不活性ガスを充填することにより、不活性ガスの消費量を抑え、装置内部の不活性ガスの濃度を高めることができる。
【０００６】
このような装置において、装置外部から内部に直線運動あるいは回転運動を伝達させるシャフトを設ける場合に真空時のリーク防止手段が必要となる。
【０００７】
しかし、常に真空が求められる真空装置ではなく、リーク防止手段を安価に済ませたいという要望がある。真空引き時には装置外部から内部に直線運動あるいは回転運動を伝達させるシャフトは停止していてよいものとする。
【先行技術文献】
【特許文献】
【０００８】
【特許文献１】特開平８−２６１３３３号公報
【発明の概要】
【発明が解決しようとする課題】
【０００９】
壁を貫通したシャフトが直線運動あるいは回転運動を行うシャフトと壁との接触部において、壁の両側で差圧を生じさせると接触部においてリークが発生するという課題がある。
【００１０】
また、壁を貫通したシャフトが直線運動あるいは回転運動を行うためには、シャフトと壁との接触部である摺動部にすき間が必要であり、壁の両側で差圧を生じさせるとシャフトと壁のすき間でリークが発生するという課題がある。ここで、差圧を生じさせる時にはシャフトは停止していてよいものとする。
【課題を解決するための手段】
【００１１】
直線運動を行うシャフトにおいては、シャフト上にフランジを設けて、フランジと壁面でシール材を挟むことによりシャフトと壁を密閉してリークを防止する。
【００１２】
回転運動を行うシャフトにおいては、シャフト上にフランジを設けて、フランジとでシール材を挟むと同時に壁面とでシール材を挟むカバーを設けることによりシャフトと壁を密閉してリークを防止する。
【図面の簡単な説明】
【００１３】
【図１】本発明に係る好ましい実施形態の概略図である。
【図２】本発明に係る好ましい実施形態の概略図である。
【発明を実施するための形態】
【００１４】
以下、本発明を実施するための形態について、図面に基づいて詳細に説明する。なお、本発明は、以下に説明する実施形態に限定されるものではない。
図１ならびに図２は断面形状を示すものである。
図１のように、本発明の実施形態に係るリーク防止機構は直線運動シャフト１０１上にフランジ１０２を備える。シール材１０３を備える。
【００１５】
図１−Ａから図１−Ｂへの動作については、直線運動シャフト１０１上のフランジ１０２は、壁面１００との間にシール材１０３を挟んでリークを防止する。
【００１６】
図２のように、本発明の実施形態に係るリーク防止機構は回転シャフト２００上にフランジ２０１を備える。シール材２０２、２０３ならびにカバー２０４を備える。
【００１７】
図２−Ａから図２−Ｂへの動作については、カバー２０４は回転シャフト２００上のフランジ２０１との間にシール材２０２を挟むと同時に壁面１００との間にシール材２０３を挟んでリークを防止する。
【符号の説明】
【００１８】
１００  壁
１０１  直線運動シャフト
１０２  フランジ
１０３  シール材
２００  回転シャフト
２０１  フランジ
２０２  シール材
２０３  シール材
２０４  カバー
【図１】
2018128138.tif 000003
【図２】
2018128138.tif 000004
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
壁と、当該壁を貫通したシャフトとの接触部におけるリーク防止機構であって、
当該壁を貫通したシャフトは直線運動あるいは回転運動を行うと共に、貫通する壁との近接位置にフランジを備えており、
当該シャフトが直線運動あるいは回転運動を停止している状態において、前記フランジに挟まれるシール材を備え、
当該シール材を用いて接触部を密閉してリークを防止するリーク防止機構。
【請求項２】
前記シール材は、フランジと壁面とで挟まれる事により前記接触部におけるリークを防止する請求項１記載のリーク防止機構。
【請求項３】
更に前記フランジを覆うカバーを備えており、当該カバーは、前記フランジとでシール材を挟むと同時に壁面とでシール材を挟むことにより前記接触部におけるリークを防止する請求項１記載のリーク防止機構。
(57)【要約】【課題】ガラスや鉄板、タイル等の硬質な面に、印刷紙やメモ紙等の掲示物を掲示する場合に、粘着テープや糊を用いているが、  貼付けるのに手間が掛かり掲示物を素早く着脱する機敏性に欠けている。【解決手段】ガラスや鉄板、タイル等の硬質な面に媒体を貼付けることにより、印刷紙やメモ紙等の掲示物を刺しピンにて簡単に着脱することが出来る。【選択図】図１
2018128652.tif 000002
【特許請求の範囲】
【請求項１】
刺しピン止めが容易なコルク板や発泡樹脂板等を用いた媒体の、片面に粘着材を附着し、その附着面をガラスや鉄板、タイル等の硬質な面に貼付けることにより掲示具をなして、印刷紙やメモ紙等の掲示物を刺しピン止めにて媒体に着脱する。
【発明の詳細な説明】
【技術分野】
【０００１】本発明は、刺しピン受けの媒体を用いて印刷紙やメモ紙等の掲示物を掲示するための掲示具に関する。
【背景技術】
【０００２】ガラスや鉄板、タイル等の硬質な面に印刷紙やメモ紙等の掲示物を掲示する場合に粘着テープや糊を用いている。
【発明の概要】
【発明が解決しようとする課題】
【０００３】粘着テープや糊を用いて印刷紙やメモ紙等の掲示物を貼付けるのは手間が掛かり、素早く着脱する機敏性に欠けている。
【課題を解決するための手段】
【０００４】刺しピン止めが容易なコルク板や発泡樹脂板等を用いた媒体の、片面に粘着材を附着し、その附着面をガラスや鉄板、タイル等の硬質な面に貼付けることにより掲示具をなして、印刷紙やメモ紙等の掲示物を刺しピン止めにて媒体に着脱する。
【発明の効果】
【０００５】よって、本考案の掲示具はガラスや鉄板、タイル等の硬質な面に媒体を貼付けることにより、掲示物を刺しピンにて簡単に着脱することが出来る。
【発明を実施するための形態】
【０００６】本考案に係る掲示具は図１に示すように、刺しピン保持に適する硬度と厚みを持つコルク板や発泡樹脂等を用いた媒体１の、片面に粘着材２を附着して、使用に際し粘着材面の保護紙３を剥がして、粘着面４をガラスや鉄板、タイル等の硬質な面５に貼付けることにより掲示具をなし、掲示物６を刺しピン７にて止めつけて保持する。
【０００７】媒体１の形状は四角形、多角形、動植物の模式形等、自由であり掲示物６を刺しピン７にて止めにて保持出来れば良い。
【０００８】媒体１は掲示物６のサイズや重量に対応して、掲示に適する位置と数を配置する。  又、小さい掲示物６には切分けて、小片とし止め付ける等掲示物６の形状に合わせて用いる。
【０００９】媒体１に附着する粘着材２は、媒体１及び貼付けた掲示物６の重量で落下しない粘着力を保持し、媒体１を貼ったり剥がしたりが容易に出来て、かつ媒体１を貼付ける硬質な面４に損傷を与えにくい性質を有する。
【００１０】掲示物６は印刷紙やメモ紙等の紙類に限らず、布やビニール、立体的に加工された物品等が考えられる。
【産業上の利用分野】
【００１１】本考案は、刺しピン受けの媒体を用いてガラスや鉄板、タイル等の硬質な面に掲示物を掲示する掲示具に関する。
【図面の簡単な説明】
【図１】同実施例の断面図
【図２】同実施例の斜視図
【図３】同実施例の使用形態図（４隅止め）
【図４】同実施例の使用形態図（縦３個所止め）
【符号の説明】１‥‥媒体
２…粘着材
３…粘着材面の保護紙
４…粘着面
５…硬質な面
６…掲示物
７…刺しピン
【図１】
2018128652.tif 000003
【図２】
2018128652.tif 000004
【図３】
2018128652.tif 000005
【図４】
2018128652.tif 000006
(57)【要約】      （修正有）【課題】ズボンをはいた状態で、排尿動作のとき、ファスナーを開くが上から下に開くため、Ｖ字状になる。そのため下部部分はせまく、性器を出し辛く尿もれを起しスボンを汚してしまうという問題点を解決するファスナーを提供する。【解決手段】ファスナー詰合金具３Ａ，３Ｂの取りつけ位置上部に取りつけるための縫い代４Ａ，４Ｂを設ける。抜け止め金具５Ａ，５Ｂの下部に補強マチ６を設ける。【選択図】図２
2018108270.tif 000002
【特許請求の範囲】
【請求項１】
ファスナー、詰合金具の取りつけ位置上部に、取りつけるための縫い代を設け、抜け止め金具の下部に補強マチを設けたファスナー
【発明の詳細な説明】
【技術分野】
【０００１】本発明は、ズボンなどに取りつけているファスナーに関するものである。
【背景技術】
【０００２】従来、ズボンのファスナーの開閉は上から下に開き、下から上に閉じていた。
【発明の開示】
【発明が解決しようとする課題】
【０００３】ズボンを、はいた状態で排尿動作のとき、ファスナーを開くが上から下に開くため、Ｖ字状になる、そのため下部部分はせまく性器を出し辛く、尿もれを起しスボンを汚してしまう
本発明は、以上の問題点を解決するためになされたものである。
【課題を解決するための手段】
【０００４】ファスナー、詰合金具の取りつけ位置上部に取りつけるための縫い代を設ける。抜け止め金具の下部に補強マチを設ける。以上の構成よりなる下部から開くファスナー。
【発明の効果】
【０００５】従来、ズボンなどの前ファスナーは、上から開くが、本発明は下から開くようにし、排尿の動作を容易にしたものである。
【発明を実施するための最良の形態】
【０００６】以下、本発明の実施の形態を説明する。
（イ）ファスナー（１Ａ）（１Ｂ）の詰合金具（３Ａ）（３Ｂ）の上部に取りつけ縫い代（４Ａ）（４Ｂ）を設ける。
（ロ）ファスナー（１Ａ）（１Ｂ）の抜け止め防止金具（５Ａ）（５Ｂ）の下部に補強マチ（６）を設ける。
本発明は以上のような構造である。
本発明を使用するときは、ズボンをはきファスナー（１Ａ）（１Ｂ）を詰合金具（３Ａ）（３Ｂ）で詰合させスライダー（２）を下に移動して閉じる。開くときはスライダー（２）を上に移動して開く
ファスナー（１Ａ）（１Ｂ）が下から開くので補強マチ（６）が伸び、開いた状態がＯ字形になる。
下から開くことにより、スライダー（２）が上に移動するため、性器を出し易く絞めつけもなく、排尿がスムーズに行われ、絞めつけによる残尿でズボンを汚さない。
【図面の簡単な説明】
【０００７】
【図１】本発明の分離状態の斜視図
【図２】本発明の詰合した状態の斜視図
【図３】本発明の使用状態を示す斜視図
【符号の説明】
【０００８】（１Ａ）（１Ｂ）ファスナー  （２）スライダー  （３Ａ）（３Ｂ）詰合金具  （４Ａ）（４Ｂ）取りつけ縫い代  （５Ａ）（５Ｂ）抜け止め金具  （６）補強マチ
【図１】
2018108270.tif 000003
【図２】
2018108270.tif 000004
【図３】
2018108270.tif 000005
(57)【要約】【課題】自動車のアクセルペダルの急激な踏込み抑制を可能にする。【解決手段】素材には、力を加える速度に応じて、あたかも素材が硬くなるように働き、力を加える物体の動きを抑制するものがある。当該素材をアクセルと床面との間に設置することにより課題を解決できる。本発明の手立ては、アクセルを急激に踏み込もうとすれば素材がアクセルの動きを抑え、アクセルの踏みこみを抑制することから、自動車を運転する人間の無意識あるいは全くの勘違いで自動車のアクセルを急激に踏込もうとしてもアクセル自体が急激には動くことができず自動車の急発進を防ぐことができる。さらに副次的な効果として、アクセル操作が穏やかになることから自動車の燃料消費も少なくなる。【選択図】図１
2018108783.tif 000002
【特許請求の範囲】
【請求項１】
自動車のアクセルペダルと自動車床面との間に、変形速度が速くなるほど変形し難さが増す素材を設置し、アクセルの急な動きを抑制することを特徴とする急発進防止方法
【発明の詳細な説明】
【技術分野】
【０００１】
本発明は、自動車のアクセルの制御に関するものである。
【背景技術】
【０００２】
自動車の急発進による物損あるいは人身事故が増えている。この主要な原因は、アクセルとブレーキの踏み間違いによるものである。ブレーキを踏もうとするのは自動車を止めようとの意図の下の行動であり、ブレーキを踏めば自動車は止まるので、ブレーキを踏み込むことには概して危険感はなく、むしろ安心感がある。
【０００３】
一方、アクセルは、自動車を加速するための装置であることから、加速の意図の有無にかかわらずアクセルを踏み込めば自動車は増速する。従い、運転者はアクセルの踏込みには比較的慎重である。
【０００４】
自動車の急発進による事故は、この慎重さを失い、アクセルをブレーキと勘違いし、ブレーキを踏むことの安心感から必要以上にアクセルを踏込んでしまうことによる。
【０００５】
人間の勘違いを完全に防ぐ、いついかなる状況においても勘違いが起こらないようにすることはできない。
【先行技術文献】
【特許文献】
【０００６】
【特許文献１】実願平３−４８１５８
【特許文献２】特願平２０００−３１８０７０
【発明の概要】
【発明が解決しようとする課題】
【０００７】
解決しようとする問題点は、アクセルをブレーキと勘違いして急激に踏み込んでもアクセルが急激には動かない手段を提供することである。
先行技術文献に見られるアクセルの急な動きを防ぐ方法は、大別して、文献１のようにアクセルの動きを機械構造により抑制する方法と、文献２のようにアクセルの動きを電子制御系で抑制する方法とがある。いずれの方法も設置のためには自動車自体の大幅な改修を必要とし、改修となればそのコストは高額になることが予想される。新品のみならず、既存の自動車に容易かつ安価に設置できるアクセル運動の抑制手段が必要である。
【課題を解決するための手段】
【０００８】
本発明は、アクセルの踏みこみ速度に応じアクセル移動量を抑制する手立てを施すことを特徴とする。ある種の素材には、力を加える速度に応じて、あたかも素材が硬くなるように働き(シアシックニング)、力を加える物体の動きを抑制するものがある。その一例として、水に溶いた片栗粉の挙動がよく知られている。当該素材をアクセルと床面との間に設置することにより、アクセルが急稼働すればアクセルの移動量を抑制し、結果的に自動車の急加速を防ぐことができるので課題を解決できる。
【発明の効果】
【０００９】
本発明の手立ては、アクセルを急激に踏み込もうとすれば素材が硬化してアクセルの動きを抑え、アクセルの踏みこみ量を抑制することから、自動車を運転する人間の無意識あるいは全くの勘違いで自動車のアクセルを急激に踏込もうとしてもアクセル自体が急激には動くことができず自動車の急発進を防ぐことができる。アクセルの動きが緩やかであれば、素材がアクセルの動きを阻害することはない。従い、副次的な効果として、アクセル操作が穏やかになることから自動車の燃料消費も少なくなる。
【図面の簡単な説明】
【００１０】
【図１】図１は加えられる力の速さに応じ変形量が抑制されるシアシックニング素材を取り付けた説明図である。（実施例１）
【発明を実施するための形態】
【００１１】
アクセルの急激な動きを抑制する、取り付け簡単な方法で実現した。
【実施例１】
【００１２】
図１は、本発明装置の１実施例の図であって、水溶き片栗粉をゴム袋に収めたシアシックニング効果を有する物体をアクセルと自動車の床との間に設置した状況である。
【符号の説明】
【００１３】
１    アクセルペダル
２    シアシックニング素材
３    自動車の床
４    自動車構体
【図１】
2018108783.tif 000003
(57)【要約】      （修正有）【課題】乾かした布製品を取り出した後、ほこりを手で取っている時間と手間がかからない洗濯乾燥機を実現する。【解決手段】丸型のボールに粘着面を装着したほこり吸着ボールによって、布製品のほこりを吸着させることができ、ほこりを気にしないで洗濯することができる洗濯乾燥機を実現する。【選択図】図１
2018108318.tif 000002
【特許請求の範囲】
【請求項１】
丸型のボールに粘着面を装着させて、ほこりを吸着させることを特徴とする洗濯乾燥機のほこり吸着ボール。
【発明の詳細な説明】
【技術分野】
【０００１】  本発明は、ボールに粘着を付けた、洗濯乾燥機のほこり吸着ボールに関するものである。
【背景技術】
【０００２】  従来、洗濯乾燥機で乾かした布製品にほこりが付いているために取り出した後でほこりを取っていた。
【発明の概要】
【０００３】  取り出した後ほこりを手で取っていると時間と手間がかかっていた。
本発明は、以上の問題点を解決するためのものである。
【課題を解決するための手段】
【０００４】  丸型のボールに粘着を装着する。
以上を特徴とする洗濯乾燥機のほこり吸着ボールである。
【発明の効果】
【０００５】  ほこりを気にしないで洗濯することができる。
また、本発明は洗えばほこりや汚れを簡単に落とすことができる。
【図面の簡単な説明】
【０００６】
【図１】本発明の斜視図である。
【発明を実施するための形態】
【０００７】  以下、本発明の実施の形態について説明する。
（イ）ボール（１）に粘着面（２）を装着する。
本発明は以上の構成である。
【符号の説明】
【０００８】  １  ボール
２  粘着面
【図１】
2018108318.tif 000003
(57)【要約】      （修正有）【課題】歯を丹念に磨くとき、歯間を磨く歯ブラシと一般的な歯ブラシを必要とする。２本の歯ブラシを持ち歩くのは煩わしい。一本化することで煩わしさを解決する。【解決手段】歯間ブラシを１とし、通常の大きさの歯ブラシの頭部を２として、２の植毛部の台に穴をあけ、その穴で１の植毛台を必要に応じ合体、或いは分離可能とすることを特徴とする歯ブラシ。【選択図】図１
2018108320.tif 000002
【特許請求の範囲】
【請求項１】
歯間ブラシ（１）に一般的な歯ブラシの頭部（２）を組込む。一般的な歯ブラシの頭部（２）の植毛台に歯間ブラシの植毛台（６）を受け入れる穴（４）をあけ、その穴（４）に歯間ブラシ（１）を組込み、一本化を可能とする関係性をもつ一対（１．２）の歯ブラシとする。
【発明の詳細な説明】
【技術分野】
【０００１】本発明は歯間や歯と歯茎との境を磨きやすくした小さい歯ブラシと一般的な歯ブラシの頭部を一体化、又はそれを分離できるようにした歯ブラシに関するものである。
【背景技術】
【０００２】従来、歯間を磨く歯ブラシは小指の先ほど小さなブラシを使う。そして歯全体の歯磨きをするとき一般的な歯ブラシを別に用意しなくてはならない。
【先行技術文献】
【０００３】
【特許文献１】
【非特許文献１】
【発明の概要】
【発明が解決しようとする課題】
【０００４】従来の歯ブラシでは次のような欠点があった。
歯を全般的に磨く一般的な歯ブラシは、歯間や歯茎と歯の境を磨くのには植毛部の台の大きさから不向きで、磨き残しが出てしまう。従って歯間用の小さなブラシと歯全体を磨く一般的な大きさの歯ブラシの２本のブラシが必要となる。
本発明は１本の歯ブラシで上記の欠点を解決したものである。
【課題を解決するための手段】
【０００５】歯間ブラシを（１）とし、通常の大きさの歯ブラシの頭部を（２）として、（２）の植毛部の台に穴（４）をあけ、その穴に（１）の植毛台（６）を歯のどこを磨くかにより組込み、或いは分離し、使う。
以上の構成よりなる用途別合体式歯ブラシである。
【発明の効果】
【０００６】二つの機能を持つ歯ブラシが一本の歯ブラシで可能となり便利となる。
【図面の簡単な説明】
【０００７】
【図１】分離図（斜視図）
【図２】合体図（斜視図）
【発明を実施するための形態】
【０００８】図２で示すように歯間ブラシ（１）の上に一般的な歯ブラシの頭部（２）の穴を合わせ（１）の上に（２）を組込む構成にして、歯全体を磨くときは合体し一本化  また、歯間を磨くときは分離する。
【符号の説明】
【０００９】１  歯間ブラシ        ２  一般的歯ブラシの頭部    ３  歯間ブラシ軸の保持部
４  穴（切取り部）    ５  一般的な歯ブラシの頭部の植毛台  ６  歯間ブラシの植毛台７  歯間ブラシの植毛  ８  一般的な歯ブラシ植毛
９  歯間ブラシの軸
【図１】
2018108320.tif 000003
【図２】
2018108320.tif 000004
(57)【要約】      （修正有）【課題】単独装置において水素発生機能、ＥＭＳ機能およびイオン導入機能を備えた複合的な技術を提供する。【解決手段】水素の抗酸化作用を期待する健康維持、促進、またはＥＭＳによるリハビリ効果を期待し、筋肉緩和、またはイオン導入で美容作用を期待し、全身入浴、足浴および手浴で使用するもので、入浴水等の液体が入った浴槽を含む容器内へ投げ込み使用する。電極２、３が収納された電極部を手に持ち、または足に挟み、片面を身体へ接触させて使用する。発生する水素を直接身体へ接触させることで、身体へ取り入れる効率が上がることが期待される。美容効果のある入浴剤でイオン導入を目的とする場合は、水素が発生する電極面（ＬＥＤ表５示面）を、部位に接触させて使用する。身体へ接触する電極部は、電極面に印加されている可変電圧と絶縁性ケース１、４との距離を保ち、空間絶縁しているため、直接身体へ電極が接触しない安全性が確保される。【選択図】図１
2018108317.tif 000002
【特許請求の範囲】
【請求項１】
水素を発生させる陰極（３）、酸素を発生するための陽極（２）を有して、液体を電気分解する電極部と、前記電極部と電気的に接続され、前記電極部に可変電圧を印加する可変電源部と、前記電極部に印加された電圧により生じた電流を測定する電流測定部を備え、該可変電極部を制御する制御部と、を有し、前記制御部は、前記可変電源部が印加した電圧と、前記電流測定部が測定した電流とに基づいて、前記液体の導電率を算出する導電率算出部を備え、該前記導電率算出部が算出した前記液体の導電率に満たない場合は、所定の電解質の投入を促す表示部とを有する、イオン導入ＥＭＳ付き水素発生技術。
【請求項２】
該電極部は、多孔体のエキスパンドメッシュとし、陰極（３）のメッシュと陽極（２）のストランドが対向するように配置していることを特徴とする請求項１に記載のイオン導入ＥＭＳ付き水素発生技術。
【請求項３】
該電極部の陰極（３）、陽極（２）は絶縁性の電極ケース（１）に収納し、電極ケース（１）には液体が自由に出入りが可能で、発生する水素ガスおよび酸素ガスが、水中へ放散しやすい菱形の穴が無数空いていることを特徴とする請求項１に記載のイオン導入ＥＭＳ付き水素発生技術。
【請求項４】
該電極部の陰極（３）と陽極（２）間には、発生する水素ガス、酸素ガスを分離するメッシュ＃５〜＃５０の隔膜（４）を設け、水素ガス、酸素ガスが混合してケースから発生しないようにすると共に、水素ガス又は酸素ガスが発生する面をＬＥＤ（５）表示していることを特徴とする請求項１に記載のイオン導入ＥＭＳ付き水素発生技術。
【発明の詳細な説明】
【技術分野】
【０００１】  本発明は、医療機関、介護・福祉および畜産、ペット業界の入浴施設において、入浴時に筋肉のリハビリ、健康維持および促進をする複合的な技術を提供するものである。
【背景技術】
【０００２】  従来から、電気分解法によって生成される水素を入浴水へ溶存させる特許文献１に開示の技術、トレーニングおよびリハビリにおける生体の筋肉刺激を目的とした信号波発生させる特許文献２に開示の技術および施術部位の肌に微弱な電流を流して、美容成分を皮膚の深部までしっかりと浸透させるイオン導入させる特許文献３の技術がある。これらは全て、単独の機能を有した技術である。
【先行技術文献】
【特許文献】
【０００３】
【特許文献１】特開２０１６−０２２４６７号公報
【特許文献２】出願番号  ＰＣＴ／ＪＰ２０１２／０６３５７９号公報
【特許文献３】特開２００１−２５９０４５号公報
【発明の概要】
【発明が解決しようとする課題】
【０００４】  従来のような健康促進技術は、全体構造が複雑な機構からなる上、目的に応じた施術を単独に受けなければならないため、不便であるという問題点があった。この発明は、簡単な構造で入浴時に筋肉のリハビリ、健康維持および促進をする複合的な技術を提供することを目的とする。
【課題を解決するための手段】
【０００５】  本発明に係る入浴時に筋肉のリハビリ、健康維持および促進をする複合的な技術は、水素発生機能に、ＥＭＳ機能およびイオン導入機能を備えたものであることを特徴とする。【０００６】  また、本発明に係る技術は、個人使用の家庭および大衆浴場など不特定多数下で、ご使用者任意のご要求に応じた使用も可能であることを特徴とする。【０００７】  また、本発明に係る技術は、ＥＭＳ機能は、筋肉が強縮するパルス直流型で４〜１４Ｈｚの周波数であることを特徴する。【０００８】  また、本発明に係る技術は、電極部は、水素が発生する陰極（３）と、酸素が発生する陽極（２）間には、発生するガスが混合しないように分離する隔膜（４）を設けて、水素または酸素が発生する面をＬＥＤ（５）で表示することを特徴とする。
【図面の簡単な説明】
【０００９】
【図１】この発明の実施の形態１に掛かる複合技術を提供する電極部を示す構成図である。
【００１０】
【図２】この複合技術の使用方法を示す説明図である。
【図１】
2018108317.tif 000003
【図２】
2018108317.tif 000004
(57)【要約】      （修正有）【課題】ふとんやベッド等での就寝時、鼾の発生を防止する為、横向き寝を保持する用具に関するものである。【解決手段】ふとんやベッド等での就寝時、横向き寝を保持する為に、三角柱型空気クッション１の一平面を、肩から腰の背中を後方から支えるように置き、容易に仰向き寝に寝返りが出来にくい様にすると共に、三角柱型空気クッションの移動を防止するために、上半身の下に敷く三角柱型空気クッションから延びるシート状の固定部２を備えている。【選択図】図１
2018108321.tif 000002
【特許請求の範囲】
【請求項１】
ビニール、ゴム等の素材を用いて作られた、三角柱型の空気クッションと、そのクッションから延びるシート状の固定部とを備えた鼾防止用背もたれ。
【請求項２】
請求項１において、三角柱型の空気クッションは、空気栓を有する鼾防止用背もたれ。
【請求項３】
請求項２において、携帯用に折りたたむことができる鼾防止用背もたれ。
【発明の詳細な説明】
【技術分野】
【０００１】  本発明は、ふとんやベッド等で横向きに寝る姿勢をとったときに、その姿勢を保持する背もたれに関し、肩から腰の背中を後方から支え、身体の横向き姿勢を保持し、鼾の発生を防止するようにしたものである。
【背景技術】
【０００２】  同室内で就寝した時に、家族または第三者に対し寝不足等の迷惑を与える気兼ね等で、睡眠不足によるストレス増加の鼾の発生問題があった。【０００３】  仰向きで寝ると鼾の発生は顕著であるが、横向きで寝ると鼾の発生を防止できることに着目した。【０００４】  就寝時に身体が横向きになるよう、頭を横向きにする枕等が提供されているが、これでは頭と首を横向きに固定するためで、身体の横向き姿勢を保持し就寝するには無理がある。
【発明の概要】
【発明が解決しようとする課題】
【０００５】  就寝時に鼾の発生を防止する為に、横向き姿勢が保持できるように、背もたれを提供するのが本発明の目的である。
【課題を解決するための手段】
【０００６】  本発明は、上記の目的を達成するために肩から腰の背中を後方から支え、就寝時に身体の横向き姿勢を保持することで、鼾の発生を防止できる事に着目し、安定感のある三角柱型空気クッションとクッションが移動するのを防止する固定部とからなる、鼾防止用背もたれを開発したのである。
【発明の効果】
【０００７】  固定部を上半身の下に敷くことにより、鼾防止用背もたれが使用者の動きによって移動することを防ぎ、空気圧の加減で変形可能なため、使用者の身体の動きにあわせ適度の圧力を与え、身体を横向き姿勢に保持する。
【図面の簡単な説明】
【０００８】
【図１】  本発明に係る鼾防止用三角柱型空気クッションの、形態を示した斜視図である。
【図２】  図１の使用図である。
【発明を実施するための形態】
【０００９】  実施例本発明の鼾防止用背もたれは、図１に示すように三角形の一辺が、２０ｃｍ程度の三角柱型空気クッション１と、そのクッションから延びるシート状の固定部２とから構成され、三角柱型空気クッション１は空気栓３付きのため、空気圧の加減ができ、使用者に適した空気クッションに調整できる。
【実施例】
【００１０】  使用時には、図２に示すように、図１で示す固定部２を使用者の上半身の下に敷くことにより、三角柱型空気クッション１が移動しないよう固定でき、この状態で肩から腰の背中を後方から支えるので、身体が横向き姿勢に保持され鼾の発生が防止される。【００１１】  この鼾防止用背もたれは、空気栓付き三角柱型空気クッションの為、収納時や持ち運びする場合は、空気を抜いて折りたたみ等すればよい。
【符号の説明】
【００１２】  １  三角柱型空気クッション
２  シート状の固定部
３  空気栓
【図１】
2018108321.tif 000003
【図２】
2018108321.tif 000004
(57)【要約】      （修正有）【課題】使い勝手、持ち運び便利、すっきり収納、長持ち、そして墨汁で半紙に字を書く時の手応え感覚、字の風合いを再現することができる水書きシートを提供する。【解決手段】表面に半紙の風合いを出した水書きシート１を補強生地２と貼り合わせ、軸３を付け、巻戻し収納ケース４にセットして構成する。【選択図】図１
2018108688.tif 000002
【特許請求の範囲】
【請求項１】
筆で水を付けて表面に文字を書くことによって、書かれた部分が黒に発色する水書きシートを用い、補強生地と貼り合わせて構成される習字シート。
【請求項２】
請求項目１に軸を付け、さらにストッパー付き収納ケースを装着し、構成される習字セット。
【請求項３】
請求項目２の軸の中の空間を有効利用して筆等の小物収納アイデアを取り組み、コンパクトに収納できる習字セット。
【請求項４】
請求項目２のケースを二つ付け、両側から自在に巻戻しができ、狭い所でも困らずに使える習字セット。
【発明の詳細な説明】
【技術分野】
【０００１】習字、書道
【背景技術】
【０００２】
【先行技術文献】
【０００３】
【特許文献】
【特許文献】特開平１０−１７５３９２
【非特許文献】
【０００４】
【概要発明】
【発明が解決しようとする課題】
【０００５】子供に習字練習をやらせようとしても、机・床・服など良く汚れる。用具洗いなどの後片付けも大変で、習字離れの一つの原因になる。市販の一重水書きシート使っても壊れやすく保管中でもダメージを受けることがある。また、筆と半紙でなくても、これらを使って字を書く時の抵抗感或いは手応えと墨汁が半紙に馴染む風合いを実感したい。また、長持ち、運びと収納の問題も解決する習字シートを提供することを課題とする。
【課題を解決するための手段】
【０００６】半紙風水書きシートを掛軸のように裏面と周りをコーティング。
【０００７】巻戻し兼収納用ケースを付ける。
【０００８】軸に取外し可能のキャップを付け、軸の中に筆等を収納。
【０００９】さらに進化してダブルケースの装着によって両側から自在に巻戻しができ、狭いスペースでも困らずに使える。
【００１０】ケースにストッパーを付け、習字中ケースの不安定感を解消。
【発明の効果】
いつでも、どこでもその気になったらすぐに習字できる。コーティングとケースを付けることによって長持ちできる。収納しやい、運びやすいなどのメリットもある。より便利になり、今頃の子供に習字がお馴染みなことになるのを期待する。
【図面の簡単な説明】
【００１１】１の水書きシートは半紙風で、字を書く時筆の抵抗・手応えは墨汁で半紙に書くときとほぼ同じ。墨汁が半紙に馴染む風合いも良く再現される。
２の掛軸式コーティングによって、水書きシートが良く守られる。
３の軸を回し、１０の本シートは５の巻戻し口から４のケースの中に収納される。７の副軸によって、引っかかり全部ケースの中に入ってしまうことを避ける。
６のストッパーによって円柱状の不安定感を解消する。
８の筆なども収納できる。
図２のように４のケースをダブルにすると、両側から自在に巻戻しができ、場所が取らない。図１の場合も右側を巻き上げることができるが、崩れやすく不安定。でもダブルケースよりコストが抑えられ、常にゆったりしたところで使う場合に向いている。
９の文字入れによって、子供などの初心者にとってはさらに使いやすい。。
【図１】
2018108688.tif 000003
【図２】
2018108688.tif 000004
【手続補正書】
【提出日】平成29年4月12日(2017.4.12)
【手続補正１】
【補正対象書類名】明細書
【補正対象項目名】００１１
【補正方法】変更
【補正の内容】
【００１１】
【図１】１――水書きシート本体  ２――絹、布、化学繊維等の繊維生地で掛軸風にコーティング部分（シート裏全体も）  ３――軸  ４――筒状収納ケース  ５――巻戻し口  ６――ストッパー  ７――副軸  ８――筆  ３の軸を回し、１の水書きシート本体を５の巻戻し口をとおして４の筒状収納ケースに巻込み、収納される。７の副軸はシートの端までケースの中に入ってしまうのを防ぐ。６のストッパーは筒状のケースの転がりを防ぐ。８の筆は３の軸の中に入れて収納でき、散らかし防止になる。
【図２】１――水書きシート本体  ２――絹、布、化学繊維等の繊維生地で掛軸風にコーティング部分  ３――軸  ４――筒状収納ケース  ５――巻戻し口  ６――ストッパー  ８――筆  ９――練習用の字  各部品の働きは〔図１〕と同じ。但し、〔図２１〕では４の筒状収納ケースを左右両端につけられ、長いシートの場合左右から１のシートを左右それぞれの４の収納ケースに巻き戻すことができ、使う部分だけ広げ、場所が取られない。
(57)【要約】      （修正有）【課題】鋼管などの鋼円筒物に溶接される鋼管杭などの先端刃先や継手などに加工される溶接開先で、鋼管などの鋼円筒物の外径や肉厚に左右されることなく裏波溶接効果を得られるようにする。【解決手段】鋼管などの鋼円筒物Ｐ２１と鋼管杭などの先端刃先や継手などに加工された溶接開先Ｊ２１を重ね突合わせ溶接Ｗ２１する。溶接開先Ｊ２１は、鋼管などの鋼円筒物Ｐ２１の肉厚に対応した溶着金属の溶け込みリング溝Ｊ２２を有す、鋼管などの鋼円筒物Ｐ２１は、肉厚毎にリング溝Ｊ２２の手前で止まる構造となっている。【選択図】図２
2018108603.tif 000002
【特許請求の範囲】
【請求項１】
鋼管などの鋼円筒物に溶接する、鋼管杭などの先端刃先や継手の溶接開先に、裏波溶接効果の得られるリング溝を有することを特徴とする溶接開先形状。
【請求項２】
鋼管などの鋼円筒物は、肉厚毎にリング溝の手前で止まる構造となっていることを特徴とする請求項１に記載の溶接開先形状。
【発明の詳細な説明】
【技術分野】
【０００１】  本発明は、鋼管杭や杭状地盤補強体の先端に取り付けられる先端刃先やつなぎに使われる機械式継手の溶接開先形状に関するものである。
【背景技術】
【０００２】  軟弱地盤を補強するため、鋼管杭や杭状地盤補強体として鋼管などの鋼円筒物が使用されている。この鋼管などの鋼円筒物をつなぎ合わせる時には継手などが使用され、鋼管などの鋼円筒物の先端には先端刃先が溶接される。この継手や先端刃先には鋼管などの鋼円筒物の外径や肉厚に合わせた溶接開先が加工され、この溶接開先に鋼管などの鋼円筒物を挿入して行う重ね突合わせ溶接がされてきた。【０００３】  しかし最近、鋼管などの鋼円筒物と先端刃先や継手の溶接面にルート隙間を取った突合わせ溶接で裏波を出す溶接を求められる事が多くなった。この理由として考えられることは、現在行われているレ形の重ね突合わせ溶接では、溶込みが不足し、溶接欠陥を頻繁に引き起こしている為と思われる。【０００４】  裏波を出すためには、鋼管などの鋼円筒物の溶接開先と先端刃先や継手の溶接開先間にルート隙間を取った上、当て金を使った突合わせ溶接が必要となり、溶接作業に多大な時間を必要とする様になった。また、芯だしが困難な上、突合わせ溶接となるため現場での溶接も困難になった。
【先行技術文献】
【特許文献】
【０００５】
【特許文献１】特開平１１−１９２５８９号公報
【特許文献２】特開平１１−０１４７７８号公報
【発明の概要】
【発明が解決しようとする課題】
【０００６】  本発明の目的は、鋼管杭や杭状地盤補強体として使われる鋼管などの鋼円筒物の先端刃先や鋼管などの鋼円筒物を繋ぐ継手の溶接に於いて、現在の作業時間で裏波の出る溶接と同程度の溶接強度の得られる溶接開先形状を提供することである。
【課題を解決するための手段】
【０００７】  鋼管などの鋼円筒物に接続する先端刃先や継手の端面に１０〜７０°程度の角度を有する溶接開先を加工し、この加工面に幅０．１ｍｍ以上で深さ０．１ｍｍ以上のリング溝を加工する。リング溝加工は、挿入する鋼管が開先面に入り込む位置より０．１ｍｍ以上離れた位置とし、鋼管などの鋼円筒物外径に対応した肉厚毎とする。
【発明の効果】
【０００８】  本発明に係る溶接開先形状は、今までの溶接設備で作業が可能である上に溶接作業で重要な芯だしなどの作業も従来の手順で可能である。また、リング溝が付いていることで溶着金属が鋼管などの鋼円筒物肉厚を超える領域まで達する溶接が可能となり、裏波の出る溶接と同程度の溶接強度が得られる。【０００９】  先端刃物や継手の開先加工も現在の加工手順にリング溝加工を追加するだけで、加工費の大幅なコストアップにはならない。
【図面の簡単な説明】
【００１０】
【図１】リング付き開先形状の溶接イメージと溶接断面図。
【図２】リング付き開先形状の断面図
【図３】鋼管などの鋼円筒物肉厚に対応した溶接開先のリング溝の配置図
【発明を実施するための形態】
【００１１】  図を用いて本発明に係る溶接開先形状を説明する。
【００１２】  図１は、鋼管などの鋼円筒物Ｐ１１に継手Ｊ１１を溶接Ｗ１１したイメージと断面図である。
【００１３】  図２は、鋼管などの鋼円筒物Ｐ２１に継手Ｊ２１を溶接Ｗ２１した断面図で、Ｊ２２は鋼管などの鋼円筒物の肉厚に対応して、継手開先面に加工されたリング溝である。このリング溝底まで溶着金属が流れ込む事により、裏波を出した溶接と同程度の溶接強度が得られる。
【００１４】  図３は、鋼管などの鋼円筒物の肉厚を継手の開先面に挿入したイメージで鋼管などの鋼円筒物の端面がリング溝の手前に引っかかる構造になっている。
【符号の説明】
【００１５】Ｐ１１  継手に溶接された鋼管などの鋼円筒物
Ｊ１１  リング溝を有する継手
Ｗ１１  鋼管などの鋼円筒物と継手を溶接した溶着金属
Ｐ２１  継手に溶接された鋼管などの鋼円筒物
Ｊ２１  リング溝を有する継手
Ｊ２２  継手の溶接開先面に加工されたリング溝
Ｗ２１  鋼管などの鋼円筒物と継手を溶接した溶着金属
【図１】
2018108603.tif 000003
【図２】
2018108603.tif 000004
【図３】
2018108603.tif 000005
(57)【要約】【課題】本発明は、各収納袋を縦方向に段差で取付た袋ストッカーを提供する。【解決手段】各種袋（１）の下方に穴（２）を開け縦方向（３）に段差でつけ、容易に壁に取り付けられる用に磁石（４）、フック（５）又は吸盤（６）を設けた袋ストッカー。【選択図】図１  図２
2018108861.tif 000002
【特許請求の範囲】
【請求項１】
布（１）等の下方に穴（２）をあけ、縦方向に段差（３）をつけ大から小へと付けていく袋ストッカ−。
【請求項２】
布（１）等の下方に穴（２）をあけ、縦方向に段差（３）をつけ大から小へと付けていき、壁掛けに磁石（４）フック（５）又は吸盤（６）を設けた袋ストッカ−。
【発明の詳細な説明】
【技術分野】
【０００１】  本発明は、種類の異なる紙・袋などの収納袋に関するものである。
【背景技術】
【０００２】  従来、単品での収納袋が一般的で、種類の異なる紙・袋などの収納袋はなかった。（技術文献１参照）
【先行技術文献】
【技術文献】
【０００３】
【技術文献１】
【発明の概要】
【発明が解決しようとする課題】
【０００４】  これは次のような欠点があった。
（イ）台所などで料理や食材を保存する場合、食材の大きさで異なる紙・袋が必要で現場      が乱雑になった。
（ロ）いちいち作業時に単品の大きさの異なる紙・袋を取り出すのが、面倒くさかった。
（ハ）種類の異なる紙・袋を同時にだすと他の作業スペースが無くなり効率が悪かった。
本発明は、以上のような欠点をなくすために考えたものである。
【課題を解決するための手段】
【０００５】  各収納袋（１）を縦方向に段差（３）で取り付ける。
本発明は以上の構成より縦方向・各種収納袋である。
【癸明の効果】
【０００６】（イ）大きさで異なる紙・袋が一つに、まとまりすっきりする。
（ロ）一目で種類の異なる紙・袋が認識出来取りやすくなった。
（ハ）縦方向・各種収納袋を設ける事で、省スペースをはかり衛生的で、作業効率がよく      なった。
【図面の簡単な説明】
【０００７】
【図１】  本発明の断面図である。
【図２】  本発明の使用状態を示した斜め透視図である。
【本発明を実施するための形態】
【０００８】以下、本発明の実施をするための形態について説明する。
各種紙・袋にあわせ袋（１）を布等で作製する。
その袋の下方に取り出しようの穴（２）を設ける、縦方向に段差（３）を付け大から小へと取り付けて行く。
壁かけように、磁石（４）を入れ金属壁に貼り付けられるようにする。又は上方向にフック（５）又は、吸盤（６）を設ける。異なる袋に紙・袋を入れ壁に掛け使用する。
本発明は、壁に掛ける事により現場が広く使用出来、希望の紙・袋を各袋に収納する事により、衛生的に簡単に取り出すことができる。
【符号の説明】
【０００９】    １  袋
２  穴
３  縦方向の段差
４  磁石
５  フック
６  吸盤
７  紙・袋等
【図１】
2018108861.tif 000003
【図２】
2018108861.tif 000004
【図３】
2018108861.tif 000005
【手続補正書】
【提出日】平成29年2月27日(2017.2.27)
【手続補正１】
【補正対象書類名】明細書
【補正対象項目名】０００７
【補正方法】変更
【補正の内容】
【０００７】
【図１】本発明の分解図である。
【図２】本発明の横断面図である。
【図３】本発明の使用状態を示した組立図である。